(57)【要約】【課題】省電力で長時間点灯可能な照明器具を提供する。【解決手段】照明器具１００は、本体部１１と、蛍光灯１２と、蛍光灯用点灯回路１３と、遠隔制御受信部１４と、セードカバー１５と、ランプホルダ１６と、ランプソケット１７および一体型常夜灯部３０を備える。一体型常夜灯部３０は、ＬＥＤ素子と、ライトカバーと、ＬＥＤ用点灯回路と、筐体および配線を備える。一体型常夜灯部３０は、ＬＥＤ素子とＬＥＤ用点灯回路を一体化して筐体に収容する。蛍光灯用点灯回路１３は蛍光灯１２の点灯を制御し、また、ＬＥＤ用点灯回路はＬＥＤ素子の点灯を制御する。照明器具１００は、蛍光灯用点灯回路１３およびＬＥＤ用点灯回路の点灯回路と外部電源が電気的に接続されており、照明器具１００の点灯制御が行われる。【選択図】図１
2012004006.tif 000002
【特許請求の範囲】
【請求項１】
器具本体と、
蛍光灯と、
前記蛍光灯を点灯させるための蛍光灯用点灯回路と、
ＬＥＤ素子および該ＬＥＤ素子を点灯させるためのＬＥＤ用点灯回路を一体化して筐体に収容し、該ＬＥＤ用点灯回路と外部電源を電気的に接続可能な配線を該筐体に備え、前記器具本体に搭載させる常夜灯部と、
前記蛍光灯用点灯回路および前記常夜灯部に電気的に接続しており、前記蛍光灯と前記ＬＥＤ素子の点灯制御を行う点灯制御部と、
を備えることを特徴とする照明器具。
【請求項２】
前記点灯制御部は、引き紐スイッチおよび／または無線もしくは有線の遠隔制御装置を用いて作動させることを特徴とする請求項１に記載の照明器具。
【請求項３】
前記点灯制御部は、前記蛍光灯点灯時は前記常夜灯部のＬＥＤ素子を点灯させず、かつ、該常夜灯部のＬＥＤ素子点灯時は該蛍光灯を点灯させずに点灯制御することを特徴とする請求項１または２に記載の照明器具。
【発明の詳細な説明】
【技術分野】
【０００１】
本発明は、照明器具に関する。より詳しくは、常夜灯を備える照明器具に関する。
【背景技術】
【０００２】
シーリング照明器具の多くは、蛍光灯と常夜灯を備えており、就寝中など常夜灯を点灯し続けて使用する。常夜灯は、就寝中のときなど、主に消灯後の暗闇を避ける目的で使用される。
【０００３】
特許文献１には、美観を損ねずに、発光ダイオード素子を常夜灯として利用する、天井面に取り付ける照明器具が記載されている。
【先行技術文献】
【特許文献】
【０００４】
【特許文献１】特開２００８−２６２８６１号公報
【発明の概要】
【発明が解決しようとする課題】
【０００５】
ＬＥＤは、電流を増やせば明るさが増え、同時に樹脂の劣化が速まり寿命が短くなる特性があるが、電流（すなわち明るさ）を適切に制限することにより、より長寿命な常夜灯として用いることができる。
【０００６】
しかし、現在使用している照明器具の常夜灯を、白熱電球からＬＥＤを使用した光源に切り替える場合、ＬＥＤを使用した光源は直流電源を使用するため、商用電源につなぐ際に専用の電源回路が必要となる。
【０００７】
関連する技術である特許文献１は、発光ダイオードを用いた専用の取付アダプタを製造する必要があり、関連する技術一般に対する汎用性が低いという問題がある。
【０００８】
本発明は、上記事情に鑑みてなされたものであり、省電力で長時間点灯可能な照明器具を提供することを目的とする。
【課題を解決するための手段】
【０００９】
本発明の観点に係る照明器具は、
器具本体と、
蛍光灯と、
前記蛍光灯を点灯させるための蛍光灯用点灯回路と、
ＬＥＤ素子および該ＬＥＤ素子を点灯させるためのＬＥＤ用点灯回路を一体化して筐体に収容し、該ＬＥＤ用点灯回路と外部電源を電気的に接続可能な配線を該筐体に備え、前記器具本体に搭載させる常夜灯部と、
前記蛍光灯用点灯回路および前記常夜灯部に電気的に接続しており、前記蛍光灯と前記ＬＥＤ素子の点灯制御を行う点灯制御部と、
を備えることを特徴とする。
【発明の効果】
【００１０】
本発明によれば、省電力で長時間点灯ができる。
【図面の簡単な説明】
【００１１】
【図１】本発明の実施の形態に係る照明器具の一例を示す概略斜視図である。
【図２】本発明の実施の形態に係る照明器具に用いる一体型常夜灯部の一例を示す概略構成図である。
【図３】本発明の実施の形態の変形例に係る照明器具の一例を示す概略斜視図である。
【図４】本発明の実施の形態の変形例に係る照明器具に用いる一体型常夜灯部の一例を示す概略構成図である。
【発明を実施するための形態】
【００１２】
以下、本発明の実施の形態について図面を参照しながら詳細に説明する。なお、図中同一または相当部分には同一符号を付す。
【００１３】
（実施の形態）
図１は、本発明の実施の形態に係る照明器具の一例を示す斜視図である。照明器具１００は、直付け照明器具であり、天井や壁などに取り付けて使用する。
【００１４】
照明器具１００は、本体部１１、蛍光灯１２、蛍光灯用点灯回路１３、遠隔制御受信部１４、セードカバー１５、ランプホルダ（支持部材）１６、ランプソケット１７および一体型常夜灯部３０を備える。蛍光灯１２は、大小２つの円形の蛍光ランプを備える。一体型常夜灯部３０は、本体部１１へネジなどを用いて取り付ける。
【００１５】
図２は、本発明の実施の形態に係る照明器具に用いる一体型常夜灯部の一例を示す概略構成図である。図２（ａ）は、照光側から見た平面図、図２（ｂ）は、図２（ａ）のＭ−Ｍ線断面図である。
【００１６】
一体型常夜灯部３０は、ＬＥＤ素子３１、ライトカバー３２、ＬＥＤ用点灯回路３３、筐体３４、および配線３６を備える。
【００１７】
一体型常夜灯部３０は、ＬＥＤ用点灯回路３３を内蔵した筐体３４に、ＬＥＤ素子３１を一体化して組み込む。一体型常夜灯部３０は、関連する技術である白熱灯を常夜灯に用いる照明器具に用いることが可能となるようにほぼ同形状に、筐体３４に一体化して形成される。
【００１８】
一体型常夜灯部３０の配線３６により、外部電源とＬＥＤ用点灯回路３３は電気的に接続可能である。このときＬＥＤ用点灯回路３３は、外部からの電源をＬＥＤ素子３１で使用できるように交流電源から直流電源へと変換を行うので、一体型常夜灯部３０は、外部から電源が供給されることによりＬＥＤ素子３１を点灯することができる。
【００１９】
ライトカバー３２は、ＬＥＤ素子３１を保護し、かつ、ＬＥＤ素子３１の照射範囲や色合いなどを調整するためのもので、光を透過する材質、例えばアクリルなどで形成される。ライトカバー３２に、ＬＥＤ素子３１の光を拡散させる様な素材を用いることで、もしくは光を拡散させる様な形状にすることで、点光源の特徴を有するＬＥＤ素子３１の光を、より面光源に近い光照射にすることが可能となる。
【００２０】
ＬＥＤを使用した一体型常夜灯部を用いることで、常夜灯の長寿命および省エネを可能にする。また、ＬＥＤ用点灯回路とライト部分を一体化することで、１つの部材として扱えるので、部品数の削減、製造工程の簡易化をはかることができる。
【００２１】
蛍光灯１２は、ランプホルダ１６で本体部１１に固定支持され、同時に、蛍光灯１２のランプソケット１７のピンを、本体部１１のピン受けと接続する。このとき、本体部１１と蛍光灯１２は電気的に接続した状態となる。
【００２２】
照明器具１００は、天井面または壁面などに、フックを兼ねたコネクタで取り付けられる。本体部１１と天井面などの間に、照明器具１００を安定させるために、スペーサが介在する。照明器具１００はコネクタを介して電力線に接続し、例えば１００Ｖの交流電力が供給される。蛍光灯用点灯回路１３は電力線に接続し、蛍光ランプ１２を点灯させる。また、一体型常夜灯部３０のＬＥＤ用点灯回路３３も電力線に接続し、ＬＥＤ素子３１を点灯させる。ただし、ＬＥＤ素子３１へ供給する電力は、ＬＥＤ素子３１へ供給する前に整流器などを通し、交流電力を整流して直列回路に印加できる脈流電力に変換しておく。
【００２３】
蛍光灯用点灯回路１３およびＬＥＤ用点灯回路３３は、電気的に接続させておく。照明器具１００は、蛍光灯１２の点灯については蛍光灯用点灯回路１３、ＬＥＤ素子３１の点灯についてはＬＥＤ用点灯回路３３、のそれぞれが独立して作動する。点灯制御は外部回路と、蛍光灯用点灯回路１３およびＬＥＤ用点灯回路３３と、電源の接続を切り換えることにより行われ、リモコンなどの点灯制御装置（図示せず）から遠隔制御受信部１４を介して指示を受け、具体的には、照明器具１００の遠隔制御受信部１４に信号を送信し、蛍光灯用点灯回路１３のみ、または、蛍光灯用点灯回路１３およびＬＥＤ用点灯回路３３に内蔵された論理回路またはその半導体集積回路などを制御することで光源の点灯と消灯を行う。
【００２４】
リモコンなどの点灯制御装置で行う点灯制御は、例えば、２つの蛍光灯１２の点灯、大サイズの蛍光灯１２か小サイズの蛍光灯１２のいずれかによる減光、ＬＥＤ素子３１の順で点灯させる。または、２つの蛍光灯１２を連続調光または多段調光による滅光、ＬＥＤ素子３１の順で点灯させる。蛍光灯１２点灯時において、ＬＥＤ素子３１の点灯を行わないように制御することで、ＬＥＤ素子３１の寿命が短くなるのを防止する。また、ＬＥＤ素子３１点灯時において、蛍光灯１２の点灯は不要であるので、蛍光灯１２を同時に点灯させないように制御する。
【００２５】
図３は、本発明の実施の形態の変形例に係る照明器具の一例を示す斜視図である。照明器具１００は、直付け照明器具であり、天井や壁などに取り付けて使用する。基本的な構造は、図１に示す実施の形態に係る照明器具と同じであり、遠隔制御受信部１４の代わりに、引き紐１８およびスイッチバネ１９を備える。
【００２６】
図４は、本発明の実施の形態の変形例に係る照明器具に用いる一体型常夜灯部の一例を示す概略構成図である。図２（ｂ）と同様に断面図で示してある。
【００２７】
基本的な構造は、図２に示す実施の形態に係る一体型常夜灯部と同じであり、一体型常夜灯部３０に、さらに、引き紐付スイッチ３５を内蔵する。引き紐付スイッチ３５は、点灯制御の機能を備え、ＬＥＤ用点灯回路３３、外部回路および電源の接続を切り替えることができる。
【００２８】
引き紐付スイッチ３５は、照明器具１００の本体部１１に嵌合するセードカバー１５により覆われるため、スイッチバネ１９を用いる。スイッチバネ１９は、引き紐付スイッチ３５の可動方向を変換し、セードカバー１５の外側から、点灯制御を行えるようにする。スイッチバネ１９を介して引き紐付スイッチ３５と連結する引き紐１８を引くことで、照明器具１００の点灯制御が可能である。引き紐１８は、紐に限定せず、金属製のボールチェーンや、プラスチック製の細棒などであってもよく、末端部分につまみ部を備えてもよい。
【００２９】
一体型常夜灯部３０の引き紐付スイッチ３５で制御可能なＬＥＤ用点灯回路３３と、蛍光灯用点灯回路１３を電気的に接続し、点灯制御を一括して行えるようにしておくことで、スイッチバネ１９を介した引き紐１８を操作することにより、照明器具１００の蛍光灯１２および一体型常夜灯部３０のＬＥＤ素子３１の両方の点灯制御が可能になる。
【００３０】
引き紐付スイッチ３５で行う点灯制御は、例えば、２つの蛍光灯１２の点灯、大サイズの蛍光灯１２か小サイズの蛍光灯１２のいずれかによる減光、ＬＥＤ素子３１の順で点灯させる。蛍光灯１２点灯時において、ＬＥＤ素子３１の点灯を行わないように制御することで、ＬＥＤ素子３１の寿命が短くなるのを防止する。また、ＬＥＤ素子３１点灯時において、蛍光灯１２の点灯は不要であるので、蛍光灯１２を同時に点灯させないように制御する。
【００３１】
実施の形態の変形例に示した照明器具１００は、引き紐１８で点灯切り替え動作を行うものについて説明した。遠隔制御受信部１４およびリモコンなどの点灯制御装置を備え、引き紐１８およびリモコンを併用して点灯切り替えを行ってもよい。また、リモコンは照明器具１００の蛍光灯１２の点灯、引き紐１８はＬＥＤ素子３１の点灯、と、分けて点灯制御の機能を有してもよい。
【００３２】
以上説明したように、本実施の形態に係る照明器具によれば、省電力で長時間点灯できる。
【００３３】
常夜灯の白熱灯をＬＥＤに置き換えることで、長寿命および省エネを可能にするので、電気代を低減でき、光源交換が不要になる、もしくは、光源交換の頻度を少なくする。また、水銀レスの特徴もあり、環境への負担を低減することが可能となる。
【００３４】
また、置き換えの際に、関連する技術の照明器具をそのまま利用することが可能であり、汎用性が広がるだけでなく、利便性が高い。
【００３５】
さらに、ＬＥＤ素子を用いた一体型常夜灯部を使用することで、１つの部材として扱えるので、部品数の削減、製造工程の簡易化をはかることができる。
【００３６】
また、スイッチやリモコンなどの遠隔制御装置により、蛍光灯とＬＥＤ素子の常夜灯の点灯の切替ができる。蛍光灯点灯時には常夜灯を点灯させず、常夜灯点灯時には蛍光灯を点灯させず、場面に応じて必要な明かりを点灯させることで、調光の選択性が広がるだけでなく、蛍光灯と常夜灯を長寿命および省エネで使用可能となる。
【００３７】
本実施の形態に係る照明器具は、天井に直付けの他、壁に直付けであってもよく、その形状や種類は任意に適用可能である。
【００３８】
また、蛍光ランプの形状、点灯制御の方法や点灯の順番、および減光や滅光などの調光方法などは一例である。これらは任意に変更および修正は可能であり、さまざまな照明器具に本発明は適用できる。
【００３９】
その他、一体型常夜灯部の形状、大きさ、用いるＬＥＤ素子の数や配置は、上述した例に限らない。関連する技術の照明器具の常夜灯で使用可能な形状であれば、任意に設定可能である。
【００４０】
上記の実施形態の一部または全部は、以下の付記のようにも記載されうるが、以下には限られない。
【００４１】
（付記１）器具本体と、蛍光灯と、前記蛍光灯を点灯させるための蛍光灯用点灯回路と、ＬＥＤ素子および該ＬＥＤ素子を点灯させるためのＬＥＤ用点灯回路を一体化して筐体に収容し、該ＬＥＤ用点灯回路と外部電源を電気的に接続可能な配線を該筐体に備え、前記器具本体に搭載させる常夜灯部と、前記蛍光灯用点灯回路および前記常夜灯部に電気的に接続しており、前記蛍光灯と前記ＬＥＤ素子の点灯制御を行う点灯制御部と、を備えることを特徴とする照明器具。
【００４２】
（付記２）前記点灯制御部は、引き紐スイッチおよび／または無線もしくは有線の遠隔制御装置を用いて作動させることを特徴とする付記１に記載の照明器具。
【００４３】
（付記３）前記点灯制御部は、前記蛍光灯点灯時は前記常夜灯部のＬＥＤ素子を点灯させず、かつ、該常夜灯部のＬＥＤ素子点灯時は該蛍光灯を点灯させずに点灯制御することを特徴とする付記１または２に記載の照明器具。
【符号の説明】
【００４４】
１１  本体部
１２  蛍光灯
１３  蛍光灯用点灯回路
１４  遠隔制御受信部
１５  セードカバー
１６  ランプホルダ
１７  ランプソケット
１８  引き紐
１９  スイッチバネ
３０  一体型常夜灯部
３１  ＬＥＤ素子
３２  ライトカバー
３３  ＬＥＤ用点灯回路
３４  筐体
３５  引き紐付スイッチ
３６  配線
１００  照明器具
【図１】
2012004006.tif 000003
【図２】
2012004006.tif 000004
【図３】
2012004006.tif 000005
【図４】
2012004006.tif 000006